(57)【要約】【課題】回転除湿ロータに吸着された異臭物質を除去するクリーニング機能を備えた室内用除湿装置を提供する。【解決手段】通過する空気中から水分を吸着する回転除湿ロータには異臭物質が付着し、多湿空気が通過する際にこれら異臭物質が放出され、室内に異臭が発生する原因となる。そこでこの室内用除湿装置は、回転除湿ロータから異臭物質を積極的に放出させて除去することで、異臭の発生を抑制するためのクリーニングモードを備えた。【選択図】  図１０
2008157571.tif 000002
【特許請求の範囲】
【請求項１】
室内の空気を循環させながら空気中の水分を除去する室内用除湿装置において、
前記室内の空気を吸引する吸引口と、
前記吸引口から吸引された空気が通過する際に空気中の水分を吸着する複数の除湿通路からなる回転除湿ロータと、
前記回転除湿ロータより吸引口側となる上流位置で、かつ前記回転除湿ロータの一部領域において複数の除湿通路と対面するように設けられた再生ヒータと、
前記回転除湿ロータの下流で、かつ前記再生ヒータと対応する位置に入口が設けられた再生風路と、
前記再生風路内に設けられた再生ファンと、
前記吸引口から吸引され、前記回転除湿ロータの前記再生ヒータと対面しない他部領域の除湿通路を通過した空気を前記室内に吹き出すための循環吹出口と、
前記回転除湿ロータと前記循環吹出口を連結する循環風路と、
前記循環風路内に設けられた循環ファンと、
複数の運転モードの中から特定の運転モードを選択させる運転モード選択手段と、
前記運転モード選択手段からの信号を受け、前記室内用除湿装置を選択された運転モードで運転させる制御手段であって、前記再生ヒータと前記循環ファンを動作させるとともに前記回転除湿ロータを回転させる除湿モードを前記運転モードとして有する制御手段と、
を備え、
前記制御手段は、さらに、前記再生ヒータを動作させるとともに前記回転除湿ロータを回転させるクリーニングモードを前記運転モードとして有し、且つ前記制御手段は、前記運転モード選択手段によって選択された前記クリーニングモード以外の運転モードの終了時に、前記クリーニングモードを実行することを特徴とする室内用除湿装置。
【請求項２】
前記運転モードの終了を選択させる第一及び第二の終了手段であって、選択直後に前記制御手段が前記運転モードを終了する第一の終了手段と、選択後、所定の条件となったときに前記制御手段が前記運転モードを終了する第二の終了手段を備え、前記制御手段は、前記第二の終了手段からの信号を受けた場合のみ、前記クリーニングモードを実行することを特徴とする請求項１記載の室内用除湿装置。
【請求項３】
前記室内用除湿装置の運転を終了させる時刻を設定する終了時刻設定手段を備え、前記制御手段は、前記終了時刻設定手段で前記時刻が設定されている場合のみ、前記時刻の所定時間前から前記クリーニングモードを実行し、前記時刻になると前記クリーニングモードを終了することを特徴とする請求項１記載の室内用除湿装置。
【請求項４】
前記クリーニングモードが開始されたことを報知する報知手段を備えたことを特徴とする請求項１乃至３のいずれかに記載の室内用除湿装置。
【発明の詳細な説明】
【技術分野】
【０００１】
本発明は、室内の除湿を行う室内用除湿装置に関し、詳細には、空気中の水分を吸着する複数の風路からなる回転除湿ロータを備えた室内用除湿装置に関するものである。
【背景技術】
【０００２】
特許文献１には、浴室の天井に設置され、浴室内の除湿を行う浴室乾燥機が記載されている。図１８に示す本浴室乾燥機は、浴室内の空気を循環ファンで循環させながら、浴室内を除湿するものである。循環ファンで吸引された浴室内の空気は、回転除湿ロータ（吸着材）の除湿通路（小透孔）を通過する際に、通路壁に担持されている吸着剤に水分が吸着され、乾燥空気となって浴室内に戻される。回転除湿ロータに担持される吸着剤には、特許文献２に記載されているように、ゼオライトやシリカゲルなどが一般的に使用される。
【０００３】
一方で、回転除湿ロータは回転駆動され、多量の水分を吸着した除湿通路が再生ヒータ（セラミックヒーター）と対応する部分に来ると、再生ファン（換気ファン）によって吸引された空気が、まず高温の再生ヒータを通過することで加熱され、この加熱された空気が回転除湿ロータの除湿通路を通過することで回転除湿ロータが加熱されて高温になる。結果、除湿通路の吸着剤に吸着されていた多量の水分が蒸発し、回転除湿ロータが乾燥した状態に復帰するよう構成されているものである。この動作を連続的に行う運転モードが除湿モードであり、これを数時間続けることで浴室内が徐々に除湿されるものである。
【特許文献１】特開２００４−０９３００８号公報
【特許文献２】特開平５−３０９７７１号公報
【発明の開示】
【発明が解決しようとする課題】
【０００４】
一般的に回転除湿ロータに使用されている上記吸着材料は、空気中の水分のみならず異臭物質をも吸着することが知られている。また、特許文献２にもあるように、吸着剤が異臭物質を吸着している状態で多湿空気が回転除湿ロータの除湿通路を通過すると、吸着剤は異臭物質より水分の方に親和性が高いため、吸着されていた異臭物質が多湿空気中の水分と置換されてしまい、結果、異臭物質が室内に放出されてしまうという課題が知られている。
【０００５】
異臭物質が水分と置換されても、少量ずつ放出されるような状態であれば何等問題は無い。しかし、回転除湿ロータに異臭物質が多量に蓄積され、そこで多湿の空気が除湿通路を通過すると、異臭物質が空気中の水分と一気に置換され、結果、使用者が不快に感じるような強い異臭を発生させる。梅雨時などの室内が高湿度となる条件下や、常に多湿の環境である浴室等の環境下にあっては、この問題が顕著となる。
【０００６】
したがって、梅雨時など、室内が高湿度となる状況下で室内空気の循環を開始すると、それまで吸着していた異臭物質が循環空気中に一気に放出され、異臭混じりの空気が室内に吹き出すという問題があった。
【０００７】
この問題は全て室内において生じる可能性があるが、特に浴室は、異臭の要因となるジエチルヘキサナールやデカナール等の有機物質が多量に存在しており、短期間でそれらが回転除湿ロータの除湿通路に蓄積してしまう可能性がある。また、浴室内は高温高湿度となりやすく、異臭物質が高濃度となって放出される条件が揃った環境であると言える。その一方で、カビ等が発生しやすい浴室内では除湿のニーズは極めて高く、この異臭の軽減は多くのユーザから強く望まれている。
【０００８】
吸着剤の材料の調整や、異臭物質が吸着剤と接触する機会を減らすような対策をとり、回転除湿ロータによる異臭物質の吸着を抑制することで、異臭物質の蓄積とそれに伴う異臭の発生を軽減することができる。しかし、このような対策では、異臭物質だけでなく水分をも吸着剤に吸着され難い構造となってしまう。したがって、この対策だけで異臭をユーザに感じさせないレベルまで低減しようとすると、除湿性能が大きく犠牲になり、決定的な対策とは言えなかった。
【０００９】
本発明は、上記課題に鑑みてなされたもので、除湿性能を犠牲にすることなく、回転除湿ロータに吸着された異臭物質を放出させ、低コストで異臭の発生を抑制する室内用除湿装置を提供するものである。
【課題を解決するための手段】
【００１０】
請求項１に係る発明は、室内の空気を循環させながら空気中の水分を除去する室内用除湿装置において、前記室内の空気を吸引する吸引口と、前記吸引口から吸引された空気が通過する際に空気中の水分を吸着する複数の除湿通路からなる回転除湿ロータと、前記回転除湿ロータより吸引口側となる上流位置で、かつ前記回転除湿ロータの一部領域において複数の除湿通路と対面するように設けられた再生ヒータと、前記回転除湿ロータの下流で、かつ前記再生ヒータと対応する位置に入口が設けられた再生風路と、前記再生風路内に設けられた再生ファンと、前記吸引口から吸引され、前記回転除湿ロータの前記再生ヒータと対面しない他部領域の除湿通路を通過した空気を前記室内に吹き出すための循環吹出口と、前記回転除湿ロータと前記循環吹出口を連結する循環風路と、前記循環風路内に設けられた循環ファンと、複数の運転モードの中から特定の運転モードを選択させる運転モード選択手段と、前記運転モード選択手段からの信号を受け、前記室内用除湿装置を選択された運転モードで運転させる制御手段であって、前記再生ヒータと前記循環ファンを動作させるとともに前記回転除湿ロータを回転させる除湿モードを前記運転モードとして有する制御手段と、を備え、前記制御手段は、さらに、前記再生ヒータを動作させるとともに前記回転除湿ロータを回転させるクリーニングモードを前記運転モードとして有し、且つ前記制御手段は、前記運転モード選択手段によって選択された前記クリーニングモード以外の運転モードの終了時に、前記クリーニングモードを実行することを特徴とする。
【００１１】
本発明に係る室内用除湿装置は、再生ヒータと循環ファンを動作させるとともに、回転除湿ロータを回転させる除湿モードで室内の除湿を行うものであり、運転モードの終了時にクリーニングモードを実行するよう構成されている。クリーニングモードでは、再生ヒータにより回転除湿ロータが加熱されため、回転除湿ロータに吸着されている異臭物質に熱エネルギーが与えられ、異臭物質が回転除湿ロータから放出される。すなわち、室内用除湿装置は回転除湿ロータから異臭の要因を除去した状態で運転モードを終了するため、次に循環ファンを動作させる運転モードが選択され、吸引した空気が回転除湿ロータを通過する際に、空気中に異臭物質が放出されて室内に異臭が発生することがない。すなわち、次回の運転のために回転除湿ロータをクリーニングした状態で運転モードを終了するため、次回、運転モード選択手段で運手モードが選択された際には、異臭の発生を懸念することなく迅速に選択された運転モードで本稼動させることができる。
【００１２】
請求項２に係る発明は、前記運転モードの終了を選択させる第一及び第二の終了手段であって、選択直後に前記制御手段が前記運転モードを終了する第一の終了手段と、選択後、所定の条件となったときに前記制御手段が前記運転モードを終了する第二の終了手段を備え、前記制御手段は、前記第二の終了手段からの信号を受けた場合のみ、前記クリーニングモードを実行することを特徴とする。
【００１３】
使用者は、運転モードを第一の終了手段で終了させる場合、同時に装置そのものも運転も終了するものと考えるのが自然である。使用者が運転モード選択手段で選択し、実行する運転モードを終了した場合、次に選択してもいない別の運転モードが実行されるとは、通常考えないからである。
【００１４】
したがって仮に、使用者が第一の終了手段で運転モードの終了を選択し、制御手段が運転モードの終了する際、次にクリーニングモードを開始すると、使用者に強い違和感を与えることとなる。すなわち、使用者が運転モードを直ぐに終了させようとしたにもかかわらず、室内用除湿装置はそれ以降もクリーニングモードの実行に伴う動作音を発し続けることになる。使用者がまだその場に居る蓋然性が高いこの状況で、室内用除湿装置がなかなか運転を終了せずにいると、室内用除湿装置が故障したものと使用者から誤認されるおそれがある。
【００１５】
そこで請求項２に係る発明では、制御手段が第二の終了手段からの信号を受けた場合のみ、クリーニングモードを実行するよう構成している。これによれば、制御手段が運転モードを終了するまでの所望の時間を使用者が設定するタイミングと、実際に制御手段が運転モードを終了し、クリーニングモードを開始するタイミングは異なることになる。通常、使用者がこのような時間を設定した場合、運転モードは制御手段が自動的に終了するものとして、使用者がその場を離れる可能性が高い。したがって、制御手段が運転モードを終了した後にクリーニングモードを開始しても、上述した第一の終了手段で運転モードを終了させる場合と異なり、使用者に室内用除湿装置が故障したものと誤認される蓋然性は低くなる。
【００１６】
請求項３に係る発明は、前記室内用除湿装置の運転を終了させる時刻を設定する終了時刻設定手段を備え、前記制御手段は、前記終了時刻設定手段で前記時刻が設定されている場合のみ、前記時刻の所定時間前から前記クリーニングモードを実行し、前記時刻までに前記クリーニングモードを終了することを特徴とする。
【００１７】
これにより、制御手段は、設定された運転モードの終了時刻までにクリーニングモードを終了させるため、使用者に室内用除湿装置が故障したものと誤認される蓋然性が低くなる。尚、クリーニングモードは、運転モードの終了時刻に至ると同時に終了させても良いし、運転モードの終了時刻前に終了させてもよい。
【００１８】
請求項４に係る発明は、前記クリーニングモードが開始されたことを報知する報知手段を備えたことを特徴とする。
【００１９】
これにより、制御手段が運転モードを終了してクリーニングモードを開始しても、使用者は室内用除湿装置が何を目的として運転しているかを認識することができ、故障したものと誤認されることがない。
【発明を実施するための最良の形態】
【００２０】
以下、図面を参照して、本発明の一実施形態に係る浴室用除湿装置（以下、「除湿装置」と略記する）について説明する。
【００２１】
まず、図１〜図１３を参照して、その除湿装置の概要を説明する。
【００２２】
図１は、本発明の一実施形態に係る除湿装置の使用形態の一例を示す。
【００２３】
本実施形態に係る除湿装置１は、浴室４００の天井裏に設置される。この除湿装置１は、使用者が操作パネル７００で選択した浴室４００内の乾燥、暖房或いは除湿など、様々なことを行うことができる。
【００２４】
図２は、除湿装置１の下方からの斜視図である。以下の説明では、浴室４００の内側を「下」と言い、その反対側を「上」と言うことがある。
【００２５】
除湿装置１には、ケース５０３に収納される除湿機本体５０１があり、除湿機本体５０１には、除湿機本体５０１の下面の少なくとも一部（例えば図示のように実質的に全域）を覆うカバーが取り付けられる。例えば、除湿機本体５０１の下面に、内部グリル９１１が取り付けられ、その内部グリル９１１の下面に、カバーとして表面グリル５０９が取り付けられる。ケース５０３は、直方体状の箱となっているが、形状はそれに限らず種々の形状を採用し得る。
【００２６】
除湿機本体５０１の一側面には、浴室４００内から吸引した空気を除湿装置１の外に排出するための図示しない排気口があり、ケース５０３には、その排気口から排出される空気が流れる図示しない排気ダクトが取り付けられる。
【００２７】
除湿機本体５０１の下面には、浴室４００内への空気の吹出口５０７と、その吹出口５０７からの風の向きを調節する可動ルーバー５０５とが備えられる。空気の除湿機本体５０１の下面全域を覆う表面グリル５０９には、可動ルーバー５０５を目視でき可動ルーバー５０５の開閉動作の妨げとならないようなサイズの窓５０８が設けられている。
【００２８】
除湿機本体５０１の下面と表面グリル５０９との間には、或る程度の隙間があり、その隙間が、除湿装置１にとっての吸込口５１１となっている。換言すれば、除湿装置１の側面全て或いは一部に、吸込口５１１が設けられ、いわゆる側面吸気が行われるようになっている。吸込口５１１から吸い込まれた空気は、除湿機本体５０１の下面から除湿機本体５０１の内部に入る。
【００２９】
内部グリル９１１の側面には、フィルタ挿入口５１３が形成されている。そこから、フィルタ枠５１５に固定されたフィルタ５１７を差し込むことができる。フィルタ５１７は、吸込口５１１から吸い込まれた空気に含まれている塵やほこりが、除湿機本体５０１の内部に侵入しないようにするためのものである。
【００３０】
図３は、除湿装置１の除湿機本体５０１の下方からの斜視図である。すなわち、この図３は、図２に示した除湿装置１から内部グリル９１１、表面グリル５０９及びケース５０３を除去した場合の外観図である。
【００３１】
除湿機本体５０１からの空気の吹出口である本体吹出口９９０に、可動ルーバー５０５があり、可動ルーバー５０５の近傍に、可動ルーバー５０５を駆動するモータ（以下、ルーバー用モータ）５３３が備えられる。
【００３２】
除湿機本体５０１の下面全周には、フランジ５３９が設けられている。そのフランジ５３９に、内部グリル９１１が取り付けられる。
【００３３】
除湿機本体５０１の内部には、図示しない後述の回転除湿ロータが搭載され、その回転除湿ロータの下側に対向した場所に、回転除湿ロータケース５２３が取り付けられる。回転除湿ロータケース５２３の回転除湿ロータに対向するエリアには、空気の通過の妨げにならないような格子（以下、回転除湿ロータケース格子）５２７が張られている。また、除湿機本体５０１の内部には、図示しない後述の再生ヒータが搭載され、除湿機本体５０１の下面において、再生ヒータに対向するエリアには、エキスパンドメタル５３１が取り付けられる。
【００３４】
本実施形態では、除湿機本体５０１の下面に、空気の吸込口（以下、除湿装置１の側面の吸込口５１１と混同しないようにするため、「本体吸込口」という言葉を用いる）５４０が設けられ、上記側面吸気された空気が本体吸込口５４０を介して除湿機本体５０１に吸い込まれる。本体吸込口５４０は、例えば、図３に例示するように、後述の循環ファンが回転することによって吸い込まれる空気の吸込口（以下、循環ファン吸込口）５４０Ａと、後述の再生ファンが回転することによって吸い込まれる空気の吸込口（以下、再生ファン吸込口）５４０Ｂとに仕切ることができる（仕切ることなく一つの共通の吸込口とされてもよい）。
【００３５】
図４は、図３の除湿機本体５０１の上方からの斜視図である。
【００３６】
フランジ５３９を有しｑの字状の収納スペースを有するケース（以下、「内部ケース」と言う）５０４に、除湿装置１の種々の構成要素（例えば、後述する循環ファンや、その循環ファンを駆動するためのモータ（以下、循環ファン用モータ）５４１など）が備えられる。この内部ケース５０４では、循環ファンから吹出された空気が、排気風路１００を経て、排気口５２１から図示しない排気ダクトへ排出される。
【００３７】
内部ケース５０４におけるｑの字状の収納スペース以外の空いたスペースに、図示しない後述の再生ファンを駆動するためのモータ（以下、再生ファン用モータ）５３５と、除湿装置１の種々の構成要素を制御するための制御装置５１９とが備えられる。
【００３８】
図５Ａは、除湿装置１の底面図である。図５Ｂは、除湿装置１の上面図である。図６は、図５Ａの６−６断面図である。図７は、図５Ｂの７−７断面図である。以下の説明では、便宜上、排気口５２１が存在する側を「左」、それと逆の側を「右」と言い、図６の紙面表側（排気口がある面を正面とした場合の左側）を「前」と言い、図６の紙面裏側を「後」と言う。これは、図５Ａ及び図６を参照した説明に限らず、他の図を参照する場合（例えば、図７のように、図６の除湿装置１とは左右逆にして示されている場合）にも同様である。
【００３９】
内部グリル９１１に、表面グリル５０９を係止するための溝（以下、係止溝）６０９がある。表面グリル５０９の上面に設けられた爪（グリル係止爪）６０７が係止溝６０９に引っ掛かることにより、表面グリル５０９が内部グリル９１１に係止される。
【００４０】
除湿装置１内の右側の部分に、回転除湿ロータ１０、回転除湿ロータ用モータ６０、再生ヒータ４０、循環ファン２０及び循環ファン用モータ５４１が備えられる。一方、除湿装置１内の左側の部分に、可動ルーバー５０５、吹出口５０７、暖房ヒータ３０、ダンパ７０、ダンパ用モータ６１１、再生ファン５０及び再生ファン用モータ５３５が備えられる。除湿機本体５０１内には、循環ファン２０へ連通し後述の循環風路９００へと続く風路と、後述の再生風路２００とが形成されている。これにより、循環ファン２０及び再生ファン５０のうち循環ファン２０のみを回転させた場合には、除湿装置１の側面にある吸込口５１１から循環ファン吸込口５４０Ａを経て回転除湿ロータ１０を介して上方へと空気が吸引される。循環ファン２０及び再生ファン５０の両方を回転させた場合には、除湿装置１の側面にある吸込口５１１から吸い込まれた空気の一部が循環ファン吸込口５４０Ａを経て回転除湿ロータ１０を介して上方へと吸引され、残りの一部が再生ファン吸込口５４０Ｂを経て回転除湿ロータ１０を介して再生風路２００へと吸引される。以下、これらの点や各構成要素について詳細に説明する。
【００４１】
回転除湿ロータ１０は、円盤状のデシカント部材であり、上下方向に空気が通過できるような風路を有している（例えば上下方向に貫けた多数の孔がある）。具体的には、例えば、回転除湿ロータ１０は、水分を吸着するための吸着剤（例えば、ゼオライト及び／又はシリカゲル）が担持された、セラミックス製のペーパであり、いわゆるハニカム構造になっている。つまり、回転除湿ロータ１０の上下方向の空気が通過する風路は、細かく区切られた複数の風路の集合となっていて、各風路で水分の吸着が行われる。回転除湿ロータ１０の直径は、例えば１５０乃至３００ミリメータ程度であり、その厚みは１５乃至５０ミリメータ程度である。回転除湿ロータ１０は、除湿機本体５０１の下面にある本体吸込口５４０の付近に設けられ、本体吸込口５４０から入った空気の全部或いは大部分が通るようなサイズに構成されている。
【００４２】
回転除湿ロータ用モータ６０は、回転除湿ロータ１０の中心を回転軸として回転除湿ロータ１０を回転させるモータである。回転除湿ロータ用モータ６０は、回転除湿ロータ１０と循環ファン２０との間に形成される空間内の、所定の位置（例えば、回転除湿ロータ１０の上面付近）に配置される。
【００４３】
再生ヒータ４０は、回転除湿ロータ１０の上流側、例えば、回転除湿ロータ１０の下面のみに搭載される。再生ヒータ４０の水平方向のサイズは、回転除湿ロータ１０の水平方向のサイズよりも小さい（例えば回転除湿ロータ１０の水平方向サイズの４分の１以下である）。再生ヒータ４０の発熱により、回転除湿ロータ１０が、吸着した水分を放出し、それにより、回転除湿ロータ１０の除湿能力が再生する。具体的には、回転除湿ロータ１０を回転させつつ再生ヒータ４０が発熱すれば、再生ヒータ４０により加熱された空気が回転除湿ロータ１０を通ることにより、回転除湿ロータ１０の各部で吸着した水分が放出されるので、水分を吸着したことによって低下した回転除湿ロータ１０の除湿能力を再生させることができる（その際、再生ファン５０を回転させることにより、回転除湿ロータ１０から放出された水分を部屋外へ排出することができる）。また、再生ヒータ４０が発熱することにより、回転除湿ロータ１０に付着した異臭物質を放出させることもでき、それにより、回転除湿ロータ１０から発生する異臭を軽減させることもできる。また再生ヒータ４０は、発熱量を調整可能に構成されている。
【００４４】
循環ファン２０の上に循環ファン用モータ５４１が取り付けられている。循環ファン２０は、例えば遠心型のファンであり、循環ファン用モータ５４１の駆動により回転する。この循環ファン２０が回転することにより、除湿装置１の側面にある吸込口５１１から浴室４００内の空気が吸引され、その吸引された空気が、循環ファン吸込口５４０Ａから回転除湿ロータ１０を介して上方へと流れる。上方へと流れたその空気は、ダンパ７０の開閉状態に応じて、排気風路１００と循環風路９００の下流部９００Ｂとのうちの少なくとも一方に流れる。なお、回転除湿ロータ１０よりも上流の空気の温度を検出するための温度センサ５５１Ａと、その空気の相対湿度を検出するための湿度センサ５５３が、回転除湿ロータ１０と本体吸込口５４０との間の空間における所定の場所に備えられる。具体的には、例えば、各センサ５５１Ａ、５５３は、再生ヒータ４０の高さ位置と同程度の位置に備えられる。
【００４５】
循環ファン２０により回転除湿ロータ１０を介して吸引された空気は、循環ファン２０から左側にかけた空間に流れる。循環ファン２０の左隣には、更に左へと延設され途中から下へと延びた循環風路９００が設けられている。循環風路９００は、左へと延設された部分（換言すれば、循環ファン２０の左隣の空間）である上流部（以下、循環風路上流部）９００Ａと、上流部９００Ａから下へと延びた下流部（以下、循環風路下流部）９００Ｂとで構成することができる。循環風路上流部９００Ａは、循環風路下流部９００Ｂと、左方向の排気口５２１へと延びた排気風路１００とに分岐している。排気風路１００を流れる空気は、排気口５２１及び排気ダクト５５５を介し室外に排出される。一方、循環風路下流部９００Ｂを流れる空気は、吹出口５０７から浴室４００内に排出される。循環ファン２０の左に流れた空気が排気風路１００と循環風路下流部９００Ｂとのどちら又は両方に流れるかは、循環風路上流部９００Ａ（循環ファン２０の左隣空間）に設けられたダンパ７０の開閉状態によって決まる。ダンパ７０の開閉状態は、ダンパ用モータ６１１の駆動を制御することにより、調節することができる。これらの詳細については、図１０以降を参照して後述する。
【００４６】
循環風路９００の下流側（例えば吹出口５０７の付近）に、暖房ヒータ３０が備えられる。暖房ヒータ３０が発熱することにより、暖房ヒータ３０を通って暖められた空気が、吹出口５０７から浴室４００内へと吹き出される。なお、暖められた空気の温度を検出するための温度センサ５５１Ｂが所定の場所に備えられる。具体的には、例えば、温度センサ５５１Ｂは、暖房ヒータ３０の下流側、より具体的には、例えば、暖房ヒータ３０と可動ルーバー５０５との間に備えられる。
【００４７】
排気風路１００の途中（例えば排気口５２１の近傍）に、再生風路２００の出口５６３が備えられる。再生風路２００は、回転除湿ロータ１０の下流側の或る位置（例えば、回転除湿ロータ１０を介して再生ヒータ４０に対向した位置）から左へと延び、或る途中位置（例えば除湿機本体５０１の左面付近）から上へと延び、再生ファン５０の有る位置から前と延びて排気風路１００の途中に繋がる。再生風路２００を流れる空気は、排気風路１００に出て、排気口５２１及び排気ダクト５５５を介し室外に排出される。なお、再生風路２００の途中には、下流へと進んだ多湿の空気が浴室４００内へと逆流しないようにするための逆流防止弁６１３が設けられている。
【００４８】
再生ファン５０の上に再生ファン用モータ５３５が取り付けられている。再生ファン５０は、例えば遠心型のファンであり、再生ファン用モータ５３５の駆動により回転する。この再生ファン５０が回転することにより、除湿装置１の側面にある吸込口５１１から浴室４００内の空気が吸引され、再生ファン吸込口５４０Ｂから再生ヒータ４０を通り回転除湿ロータ１０を介して上方へと流れる。上方へと流れたその空気は、再生風路２００へと流れる。
【００４９】
以上が、除湿装置１の構成の概要である。なお、除湿装置１には、居室とは別の部屋からの空気が流れるダクト（以下、便宜上「他室用吸気ダクト」と言う）５５７が接続され、他室用吸気ダクト５５７を介して別部屋の空気を除湿機本体５０１内に吸気しても良い。吸気された空気が、所定の場所、例えば、回転除湿ロータ１０の下流側に出るように構成することができる。この場合、循環ファン２０によって吸引された空気と同様に、排気口５１２から排出するか、或いは、浴室４００内に吹き出すかを制御することができる。別部屋の空気を吸気するか否かは、例えば、他室用吸気ダンパ６０１の開閉状態（例えば開くか閉じるか）によって、制御することができる。この制御は、例えば、制御装置５１９が行うことができる。
【００５０】
図８は、除湿装置１の制御系を示すブロック図である。
【００５１】
制御装置５１９は、例えば、ＣＰＵ６２５やメモリ６２１を備えている。ＣＰＵ６２５は、例えば、操作パネル７００、温度センサ５５１Ａ、５５１Ｂ及び湿度センサ５５３のうちの少なくとも一つから信号を受けた場合、その信号を基に、循環ファン用モータ５４１、再生ファン用モータ５３５、回転除湿ロータ用モータ６０、ダンパ用モータ６１１、暖房ヒータ３０、再生ヒータ４０及びルーバー用モータ６２３のうちの少なくとも一つを必要に応じて制御することができる。換言すれば、例えば、ＣＰＵ６２５は、循環ファン２０の回転、再生ファン５０の回転、回転除湿ロータ１０の回転、ダンパ７０の開閉の度合い、暖房ヒータ３０による発熱、再生ヒータ４０による発熱、及び可動ルーバー５０５を制御することができる。
【００５２】
図９は、操作パネル７００の一例を示す。
【００５３】
操作パネル７００は、除湿装置１のユーザインタフェース（例えばリモートコントローラ）である。操作パネル７００には、除湿装置１が実行できる複数の運転モードにそれぞれ対応した運転モードスイッチが備えられている。具体的には、「除湿」、「乾燥」、「涼風」、「暖房」及び「換気」の運転モードにそれぞれ対応した運転モードスイッチ７００Ａ〜７００Ｅを備えており、使用者は、各運転モードスイッチ７００Ａ〜７００Ｅを投入することにより、所望の運転モードを除湿装置１に実行させることができる。制御装置５１９は、操作パネル７００の或る運転モードスイッチの投入信号を受けた場合、循環ファン２０、暖房ヒータ３０、再生ヒータ４０、再生ファン５０、回転除湿ロータ用モータ６０及びダンパ７０のうちの少なくとも一つを制御し、投入されたスイッチに対応する運転モードを実行する。
【００５４】
また操作パネル７００には、運転モードの終了を選択させる「終了」スイッチ７００Ｆのほか、除湿装置１の運転状況等を絵柄や文字で表示する表示部７００Ｇ、各運転モードでの運転時間や、運転開始／終了時刻を設定可能なタイマー７００Ｈ、音声を出力するスピーカ７００Ｉが備えられている。
【００５５】
ここで、本実施形態に係る除湿装置の運転モードは、大きく「換気」モードと「循環」モードとに分けられる。「換気」モードは、浴室４００内から吸引した空気を全て外部へ排出し、浴室４００内の換気を行うことを目的とするモードである。一方、「循環」モードは、浴室４００内の空気を循環させることを目的とするモードであり、一部の空気を外部に排出しながら循環させるモードも含まれる。例えば、本実施形態では、以下に説明する「除湿」、「乾燥」、「涼風」及び「暖房」の各モードが「循環」モードに含まれる。
【００５６】
以下、図１０〜図１４を参照して、各運転モードにおける空気の流れを説明する。
【００５７】
図１０は、「除湿」モード時のダンパの状態や空気の流れを示す模式図であり、図１１は同じく「除湿」モード時の空気の流れと風路の構成を示す模式図である。
【００５８】
使用者が「除湿」モードスイッチ７００Ａを投入すると、制御装置５１９は、図１１に示すように、回転除湿ロータ１０を矢印Ｒの方向に或る回転速度（例えば、毎分０．５回転程度）で回転させながら、循環ファン２０を回転させて浴室４００内の空気を吸引する。また、図１０に示すように、制御装置５１９は、ダンパ７０を全閉状態（排気風路１００の入口を完全に遮断し、循環ファン２０の左側の空間に出た空気の全てが循環風路下流部９００Ｂに流れる状態）にし、暖房ヒータ３０の電源をオフ状態とする。さらに、制御装置５１９は、再生ファン５０を回転させ、再生ヒータ４０の電源をオン状態とする。これにより、矢印Ａ、Ｂ、Ｃ及びＤに示すように、浴室４００内の空気が除湿されつつ循環し、また、矢印Ｆ、Ｇ及びＨに示すように、多湿の空気が再生風路２００から排気ダクトを介して室外に排出される。つまり、「除湿」モードによれば、浴室４００内から多湿の空気を吸引し、回転除湿ロータ１０で水分を吸着することにより水分が少なくなった空気を浴室４００内に吹出すようになっており、その間、水分を吸着することにより低下した回転除湿ロータ１０の除湿能力が再生ヒータ４０により再生されるので、浴室４００内を除湿することができる。循環風路９００と再生風路２００は、回転除湿ロータ１０の近傍において仕切１５により仕切られ、それぞれ独立した風路を形成している。
【００５９】
尚、以下の説明では、「除湿」モード時における回転除湿ロータ１０及び再生ファン６０それぞれの回転速度を「通常回転速度」と言い、それ以下の回転速度を「低速」と言うことがある。同様に、「除湿」モード時における再生ヒータ４０の発熱量を「通常発熱量」といい、それ以上の発熱量を「大発熱量」と言うことがある。
【００６０】
図１２は、「乾燥」モード及び「涼風」モード時のダンパの状態や空気の流れを示す。
【００６１】
使用者が「乾燥」モードスイッチ７００Ｂを投入すると、制御装置５１９は、循環ファン２０を回転させるとともに、暖房ヒータ３０による発熱を開始させる。さらに、制御装置５１９は、ダンパ７０を半開状態（排気風路１００の入口と循環風路下流部９００Ｂ入口との両方を完全には遮断せず、循環風路上流部９００Ａに出た空気の一部が排気風路１００に流れ残りの一部が循環風路下流部９００Ｂに流れる状態）にする。これにより、「乾燥」モードによれば、矢印Ａ、Ｂ、Ｃ及びＥに示すように、循環ファン２０に吸引された空気の一部が排気風路１００から排気ダクトを介して室外に排出され、矢印Ａ、Ｂ、Ｃ及びＤに示すように、残りの空気を加熱しながら循環させることで、浴室４００内の乾燥を促進させることができる。
【００６２】
なお、「涼風」モードの場合は、暖房ヒータ３０の電源もオフ状態とされる点が「乾燥」モードの場合と異なり、他は同様である。
【００６３】
図１３は、「暖房」モード時のダンパの状態や空気の流れを示す。
【００６４】
使用者が「暖房」モードスイッチ７００Ｄを投入すると、制御装置５１９は、循環ファン２０を回転させるとともに、暖房ヒータ３０による発熱を開始させる。さらに、制御装置５１９は、ダンパ７０を全閉状態にする。これにより、「暖房」モードでは、矢印Ａ、Ｂ、Ｃ及びＤに示すように、浴室４００内の空気が暖められつつ循環する。
【００６５】
図１４は、「換気」モード時のダンパの状態や空気の流れを示す。
【００６６】
使用者が「換気」モードスイッチ７００Ｅを投入すると、制御装置５１９は、循環ファン２０を回転させるとともに、ダンパ７０を全開状態（循環風路下流部９００Ｂの入口を完全に遮断し、循環風路上流部９００Ａに出た空気の全てが排気風路１００に流れる状態）とする。これにより、「換気モード」では、矢印Ａ、Ｂ、Ｃ及びＥに示すように、浴室４００内の空気が排気風路１００から排気ダクトを経て室外に排出される。なお、「換気」モードでは、循環ファン２０の回転に代えて又は加えて、再生ファン５０を回転させてもよい。
【００６７】
上述したように、本実施形態に係る除湿装置は、回転除湿ロータ１０による水分の吸着を期待していない「除湿」モード以外の運転モードを実行する場合でも、循環ファン２０が回転することで、吸引した浴室４００内の空気が回転除湿ロータ１０を通過する構造としている。従って、回転除湿ロータ１０には空気中の水分だけでなく、空気中の異臭物質が吸着されやすい。この異臭物質が回転除湿ロータ１０より放出され、浴室４００内に吹き出されると、使用者に異臭を感じさせる。そこで本実施形態に係る除湿装置は、回転除湿ロータ１０に吸着された異臭物質を除去するクリーニングモードを備えている。
【００６８】
本実施形態に係る除湿装置１のクリーニングモードには、いくつかの態様が考えられる。まず第１のクリーニングモードについて、図１５を用いて説明する。
【００６９】
図１５は第１のクリーニングモードの制御タイムチャートを示す。第１のクリーニングモードは、「終了」スイッチ７００Ｆが投入されて制御装置５１９が運転モードを終了する際に、所定時間回転除湿ロータ１０を加熱するものである。ここでは、制御装置５１９が「暖房」モードを実行中に、「終了」スイッチ７００Ｆが投入された場合を例にとって説明する。
【００７０】
まず、使用者が「暖房」モードスイッチ７００Ｄを投入すると、制御装置５１９は循環ファン２０の回転と、暖房ヒータ３０による発熱を開始させる。このときのダンパ７０は全閉状態とする。これにより、浴室４００内の空気を循環させながら、暖房ヒータ３０によって加熱する「暖房」モードが開始される。
【００７１】
「暖房」モードスイッチ７００Ｄの投入から時間ｔ１が経過したときに、使用者が「暖房」モードを終了させるべく「終了」スイッチ７００Ｆを投入すると、制御装置５１９は「暖房」モードを終了するとともに、第１のクリーニングモードに移行する。すなわち、制御装置５１９は、まず暖房ヒータ３０の発熱を停止させるとともに、再生ファン５０の低速での回転を開始させる。さらにそれから時間ｔ２が経過したとき、循環ファン２０の回転を停止させる。暖房ヒータ３０の発熱停止から循環ファン２０の回転停止を時間ｔ２だけ遅らせることにより、発熱停止後も余熱を持っている暖房ヒータ３０を循環ファン２０が吹き出す空気によって冷却し、暖房ヒータ３０の焼き付きを防止することができる。これにより、「暖房」モードを終了する。
【００７２】
また、使用者が「終了」スイッチ７００Ｆを投入したとき、制御装置５１９は操作パネル７００Ｆの表示部７００Ｇに「クリーニングモード実行中」との文字を表示させるとともに、スピーカ７００Ｉからも「クリーニングモードを開始します。約○分後に運転を終了します。」との音声を出力する。
【００７３】
「終了」スイッチ７００Ｆの投入から時間ｔ３が経過したとき、制御装置５１９は、再生ヒータ４０の通常発熱量での発熱を開始させる。これにより、再生ファン５０の回転によって浴室４００内から吸引される空気が再生ヒータ４０で加熱され、この加熱空気が再生風路２００内にある回転除湿ロータ１０の除湿通路を通過する。加熱空気が回転除湿ロータ１０の除湿通路を通過する際に、除湿通路の壁面と熱交換を行うため、回転除湿ロータ１０に吸着されている異臭物質に熱エネルギーが与えられる。これにより、異臭物質は回転除湿ロータ１０より放出され、再生ファン５０がつくる気流に乗って室外へ排出される。
【００７４】
またこのとき、再生ファン５０は低速で回転しているため、再生ヒータ４０で加熱される空気の風量は「除湿」モード時より小さくなる。これにより、再生ヒータ４０で加熱された空気の温度は、「除湿」モード時より第１のクリーニングモード時の方が高くなるため、回転除湿ロータ１０をより高温まで加熱し、異臭物質の放出を促進させることできる。
【００７５】
再生ヒータ４０の発熱を開始させてから時間ｔ４が経過したとき、制御装置５１９は、回転除湿ロータ１０の通常回転速度での回転を開始させる。これにより、時間ｔ４の間に加熱された回転除湿ロータ１０の除湿通路が再生風路２００から退出し始め、新たに再生風路２００内に進入する回転除湿ロータ１０の除湿通路が順次加熱され、異臭物質が放出されていく。
【００７６】
回転除湿ロータ１０の回転を開始させてから時間ｔ５が経過したとき、制御装置５１９は、再生ヒータ４０の発熱を停止させる。この時間ｔ５は、回転除湿ロータ１０が概ね１回転するのに要する時間などに設定すればよい。さらに時間ｔ６が経過すると、再生ファン５０及び回転除湿ロータ１０の回転を停止させて、除湿装置１の運転を完全に終了させる。再生ヒータ４０の発熱停止から再生ファン５０及び回転除湿ロータ１０の回転停止を時間ｔ６だけ遅らせることにより、再生ヒータ４０の余熱を利用して回転除湿ロータ１０をさらに加熱することができる。
【００７７】
このように、運転モードを終了させる際に回転除湿ロータ１０を加熱して異臭物質を放出させる第１のクリーニングモードを実行することにより、運転モードの実行中に回転除湿ロータ１０に異臭物質が吸着されても、その異臭物質を除去した状態で除湿装置１の運転を終了させることができる。したがって次回、回転除湿ロータ１０を介して浴室４００内の空気を循環させる「循環」モードが操作パネル７００で選択され、制御装置５１９が実行を開始した際にも、浴室４００内に異臭物質が吹き出すことはない。
【００７８】
尚、ここでは、使用者が「終了」スイッチ７００Ｆを投入したときにクリーニングモードを開始している。一般に、使用者が装置の運転の「終了」をスイッチの投入で選択したにもかかわらず、その装置が運転を終了することなく運転を継続していると、装置が故障したものと使用者に誤認されるおそれがある。そこで除湿装置１では、上述のように表示部７００Ｇ及びスピーカ７００Ｉにてクリーニングモードに移行したことを報知することにより、このような使用者による誤認を防止するものである。
【００７９】
図１６は第２のクリーニングモードの制御タイムチャートを示す。第２のクリーニングモードは、操作パネル７００で選択された運転モードの開始から、タイマー７００Ｈで設定された運転時間が経過し、運転モードを終了させる際に、所定時間回転除湿ロータ１０を加熱するものである。ここでは、制御装置５１９が実行する「除湿」モードの運転時間が、タイマー７００Ｈで設定された場合を例にとって説明する。
【００８０】
まず、使用者が「除湿」モードスイッチ７００Ａを投入するとともに、タイマー７００Ｈで運転時間としてｔ７を設定したものとする。すると制御装置５１９は、循環ファン２０の回転と、通常回転速度での再生ファン５０及び回転除湿ロータ１０の回転を開始させる。このときのダンパ７０は全閉状態とする。同時に、再生ヒータ４０による発熱を開始させることで、浴室４００内の空気を循環させながら水分を除去していく「除湿」モードが開始される。
【００８１】
「除湿」モードスイッチ７００Ａの投入から、タイマー７００Ｈで設定された運転時間ｔ７が経過すると、制御装置５１９は「除湿」モードを終了するとともに、第２のクリーニングモードに移行する。すなわち、循環ファン２０の回転を終了させ、再生ヒータ４０の発熱量を大発熱量に変更してクリーニングモードを開始する。このとき、制御装置５１９は、再生ファン５０及び回転除湿ロータ１０の回転を通常回転速度のまま継続させるとともに、操作パネル７００Ｆの表示部７００Ｇに「クリーニングモード実行中」との文字を表示させ、スピーカ７００Ｉからも「クリーニングモードを開始します。約○分後に運転を終了します。」との音声を出力する。
【００８２】
再生ヒータ４０の発熱量を大発熱量に変更することで、再生ファン５０によって浴室４００内から吸引され、再生ヒータ４０によって加熱された空気の温度は、「除湿」モード時より第２のクリーニングモード時の方が高くなる。したがって回転除湿ロータ１０をより高温まで加熱し、異臭物質の放出を促進させることできる。
【００８３】
循環ファン２０の停止から時間ｔ８が経過したとき、制御装置５１９は、再生ヒータ４０の発熱を停止させ、それからさらに時間ｔ９が経過すると、再生ファン５０及び回転除湿ロータ１０の回転を停止させ、除湿装置１の運転を完全に終了させる。再生ヒータ４０の発熱停止から再生ファン５０及び回転除湿ロータ１０の回転停止を時間ｔ９だけ遅らせることにより、ここでも再生ヒータ４０の余熱を利用した回転除湿ロータ１０の加熱を行うことができる。
【００８４】
使用者が運転モードを終了させるべく「終了」スイッチ７００Ｆを投入したときから実行を開始する第１のクリーニングモードと異なり、この第２のクリーニングモードは、使用者が予め設定した運転時間が経過した時に実行を開始するものである。すなわち、除湿装置１の運転を終了させるべく、使用者が操作パネル７００の操作を行うタイミングと、制御装置５１９が第２のクリーニングモードを開始するタイミングは同一ではない。したがって、上述した第１のクリーニングモードのように、使用者に除湿装置１が故障したものと誤認される可能性は小さくなる。また、除湿装置１の運転終了を「終了」スイッチ７００Ｆとタイマー７００Ｈのいずれでも選択することができる場合、タイマー７００Ｈで運転時間が設定された場合のみクリーニングモードを実行するように構成することで、さらに上記誤認が生じる可能性をさらに小さくすることができる。
【００８５】
図１７は第３のクリーニングモードの制御タイムチャートを示す。第３のクリーニングモードは、タイマー７００Ｈで設定された運転終了時刻の所定時間前から回転除湿ロータ１０を加熱するものである。ここでは、制御装置５１９が実行する運転モードとして、「除湿」モードが選択された場合を例にとって説明する。
【００８６】
まず、使用者が「除湿」モードスイッチ７００Ａを投入するとともに、タイマー７００Ｈで除湿装置１の運転終了時刻として「２３：００」を設定したものとする。すると制御装置５１９は、循環ファン２０の回転と、通常回転速度での再生ファン５０及び回転除湿ロータ１０の回転を開始させる。このときのダンパ７０は全閉状態とする。同時に、再生ヒータ４０による発熱を開始させることで、浴室４００内の空気を循環させながら水分を除去していく「除湿」モードが開始される。
【００８７】
設定された運転終了時刻「２３：００」より所定時間ｔ１０だけ前になると、制御装置５１９は「除湿」モードを終了するとともに、第３のクリーニングモードに移行する。すなわち、制御装置５１９は、循環ファン２０の回転を停止させ、回転除湿ロータ１０の回転速度を低速に変更する。このとき、制御装置５１９は、再生ファン５０及び回転除湿ロータ１０の回転を通常回転速度のまま継続させる。
【００８８】
回転除湿ロータ１０の回転速度を低速に変更することで、回転除湿ロータ１０が回転して再生風路２００内に進入する除湿通路は、「除湿」モード時より長時間再生風路２００内に位置し、加熱されることとなる。したがって回転除湿ロータ１０をより高温まで加熱し、異臭物質の放出を促進させることできる。
【００８９】
循環ファン２０の停止から時間ｔ１１が経過したとき、制御装置５１９は、再生ヒータ４０の発熱を停止させ、それからさらに時間ｔ１２が経過し、時刻が「２３：００」になると、再生ファン５０及び回転除湿ロータ１０の回転を停止させ、除湿装置１の運転を終了させる。再生ヒータ４０の発熱停止から再生ファン５０及び回転除湿ロータ１０の回転停止を時間ｔ９だけ遅らせることにより、ここでも再生ヒータ４０の余熱を利用した回転除湿ロータ１０の加熱を行うことができる。
【００９０】
この第３のクリーニングモードによれば、使用者が設定した運転モードの終了時刻までに除湿ロータ１０の加熱を終えるため、上述のように使用者に除湿装置１が故障したと誤認されることがない。
【００９１】
以上説明した実施形態では、制御装置５１９が、それまで実行していた運転モードの終了と同時にクリーニングモードを開始するよう構成されているが、本願発明のクリーニングモードは必ずしもこのような態様に限定されるものではない。すなわち、実行していた運転モードが終了する前からクリーニングモードを開始してもよいし、運転モードを終了してからクリーニングモードを開始するまでに多少の時間を置いてもよい。
【００９２】
また本実施形態では、除湿ロータ１０を加熱し、吸着されている異臭物質に熱エネルギーを与えて除湿通路から放出させることで回転除湿ロータ１０をクリーニングする方法を開示しているが、本発明の趣旨はこれに限られるものではない。例えば、回転除湿ロータ１０にマンガン等の異臭物質を分解する触媒を担持させ、この触媒を活性化させるために加熱し、活性化した触媒によって異臭物質を分解させるという方法で、異臭物質を回転除湿ロータ１０から除去するクリーニング方法も、本発明の加熱クリーニングの概念に含まれるものであることは言うまでも無い。
【００９３】
また本実施形態では、「終了」スイッチ７００Ｆの投入や、設定された運転時間の経過をトリガーとして各運転モードを終了し、クリーニングモードを実行するよう構成しているが、このトリガーとしては上記態様に限られるものではない。例えば、温度センサ５５１や湿度センサ５５３で検出する各値が所定の値となったときに運転モードを終了するような場合に、その終了時にクリーニングモードを実行するよう構成してもよい。
【図面の簡単な説明】
【００９４】
【図１】本発明の一実施形態に係る除湿装置の使用形態の一例を示す。
【図２】除湿装置１の下方からの斜視図である。
【図３】除湿装置１の除湿機本体５０１の下方からの斜視図である。
【図４】図３の除湿機本体５０１の上方からの斜視図である。
【図５】図５Ａは、除湿装置１の底面図である。図５Ｂは、除湿装置１の上面図である。
【図６】図５Ａの６−６断面図である。
【図７】図５Ｂの７−７断面図である。
【図８】除湿装置１の制御系を示すブロック図である。
【図９】操作パネル７００の一例を示す。
【図１０】「除湿」モード時のダンパの状態や空気の流れを示す。
【図１１】「除湿」モード時の空気の流れと風路の構成を示す。
【図１２】「乾燥」モード及び「涼風」モード時のダンパの状態や空気の流れを示す。
【図１３】「暖房」モード時のダンパの状態や空気の流れを示す。
【図１４】「換気」モード時のダンパの状態や空気の流れを示す。
【図１５】第１のクリーニングモードの制御タイムチャートを示す。
【図１６】第２のクリーニングモードの制御タイムチャートを示す。
【図１７】第３のクリーニングモードの制御タイムチャートを示す。
【図１８】従来の浴室乾燥機を示す。
【符号の説明】
【００９５】
１…除湿装置  １０…回転除湿ロータ  ２０…循環ファン  ３０…再生ファン  ４０…再生ヒータ  ５０…再生ファン  ６０…回転除湿ロータ用モータ  ７０…ダンパ  １００…排気風路  ２００…再生風路  ５０１…除湿機本体  ５０９…表面グリル  ５１１…吸込口  ５１２…排気口  ５１９…制御装置  ９００…循環風路  ９００Ａ…循環風路上流部  ９００Ｂ…循環風路下流部
【図１】
2008157571.tif 000003
【図２】
2008157571.tif 000004
【図３】
2008157571.tif 000005
【図４】
2008157571.tif 000006
【図５】
2008157571.tif 000007
【図６】
2008157571.tif 000008
【図７】
2008157571.tif 000009
【図８】
2008157571.tif 000010
【図９】
2008157571.tif 000011
【図１０】
2008157571.tif 000012
【図１１】
2008157571.tif 000013
【図１２】
2008157571.tif 000014
【図１３】
2008157571.tif 000015
【図１４】
2008157571.tif 000016
【図１５】
2008157571.tif 000017
【図１６】
2008157571.tif 000018
【図１７】
2008157571.tif 000019
【図１８】
2008157571.tif 000020